(57)【要約】【課題】添加剤をカップ本体内に添加する操作と、ストローを挿し込む操作と、を同時に行えるようにすることで、操作性を向上させることができる。【解決手段】内容物が収容されるカップ本体２と、カップ本体２の開口を閉塞する収容板部材４と、を備え、収容板部材４に、カップ本体２の底部２ｂ側に向けて開口し、かつ添加剤が収容される収容凹部４１Ａ、４１Ｂが２つ並べられて形成され、収容板部材４には、２つの収容凹部４１Ａ、４１Ｂを一体に閉塞するシール材が貼着され、収容板部材４において、互いに隣り合う収容凹部４１Ａ、４１Ｂ同士の間に位置する部分には、破断可能な弱化ライン５が形成されている構成のカップ容器１を提供する。【選択図】図１
2014125277.tif 000002
【特許請求の範囲】
【請求項１】
内容物が収容されるカップ本体と、
該カップ本体の開口を閉塞する収容板部材と、
を備え、
該収容板部材に、前記カップ本体の底部側に向けて開口し、かつ添加剤が収容される収容凹部が複数並べられて形成され、
前記収容板部材には、複数の前記収容凹部を一体に閉塞するシール材が貼着され、
該収容板部材において、互いに隣り合う前記収容凹部同士の間に位置する部分には、破断可能な弱化ラインが形成されていることを特徴とするカップ容器。
【請求項２】
前記収容凹部を画成する壁部は、他の収容凹部を画成する壁部に対向する対向壁部を備え、
一方の収容凹部の対向壁部と、他方の収容凹部の対向壁部と、の間の距離が、少なくとも前記カップ本体の底部側の下部で、カップ軸方向に沿う前記カップ本体の開口側から底部側に向かうに従い漸次狭くなっていることを特徴とする請求項１に記載のカップ容器。
【請求項３】
前記収容板部材を覆うとともに、ストローが挿通される挿通部が形成された蓋体が設けられ、
前記弱化ラインの一部が前記挿通部と対向していることを特徴とする請求項１又は２に記載のカップ容器。
【発明の詳細な説明】
【技術分野】
【０００１】
本発明は、カップ容器に関するものである。
【背景技術】
【０００２】
この種のカップ容器として、従来、例えば下記特許文献１に示されるように、蓋体に形成された挿通部にストローを挿し込んで、内容物をストローを通して吸い上げる構成が知られている。
また、例えば下記特許文献２に示されるように、添加剤が収容された副容器が蓋体に離脱自在に装着されたカップ容器が知られている。
【先行技術文献】
【特許文献】
【０００３】
【特許文献１】実公平０６−２８４３３号公報
【特許文献２】実公平０６−３４３１０号公報
【発明の概要】
【発明が解決しようとする課題】
【０００４】
しかしながら、上述した従来のカップ容器では、添加剤をカップ本体内に添加する操作と、ストローを挿し込む操作と、を各別に行うため、操作性に改善の余地があった。
【０００５】
本発明は、このような事情に鑑みてなされたものであって、添加剤をカップ本体内に添加する操作と、ストローを挿し込む操作と、を同時に行えるようにすることで、操作性を向上させることができるカップ容器を提供することを目的とする。
【課題を解決するための手段】
【０００６】
上記の目的を達成するために、この発明は以下の手段を提供している。
本発明に係るカップ容器は、内容物が収容されるカップ本体と、該カップ本体の開口を閉塞する収容板部材と、を備え、該収容板部材に、前記カップ本体の底部側に向けて開口し、かつ添加剤が収容される収容凹部が複数並べられて形成され、前記収容板部材には、複数の前記収容凹部を一体に閉塞するシール材が貼着され、該収容板部材において、互いに隣り合う前記収容凹部同士の間に位置する部分には、破断可能な弱化ラインが形成されていることを特徴としている。
【０００７】
本発明に係るカップ容器によれば、収容板部材の弱化ラインにストローが押し込まれると、その弱化ラインのストローの挿通部分が破断され、これに伴い、シール材のうち、弱化ラインの前記挿通部分に位置している部分も破断され、かつこの収容板部材の全体が隣り合う収容凹部同士の間の弱化ラインに沿って折曲変形される。
これにより、例えば、シール材のうちストローで破断された部分（以下、起点破断部という）がストローによりカップ本体の底部側に引き摺られることと相俟って、シール材において収容凹部を覆っている部分のうち、前記起点破断部に連なる部分が収容板部材から剥がされることで収容凹部が開放される。また、シール材において、収容凹部から起点破断部に至るように、弱化ライン形成部分との非接着部を設けていても良い。
【０００８】
以上により、ストローを挿し込む操作をするのと同時に、収容板部材の収容凹部内の添加剤をカップ本体内に添加する操作も行うことができ、操作性を向上させることができる。
【０００９】
また、本発明に係るカップ容器では、前記収容凹部を画成する壁部は、他の収容凹部を画成する壁部に対向する対向壁部を備え、一方の収容凹部の対向壁部と、他方の収容凹部の対向壁部と、の間の距離が、少なくとも前記カップ本体の底部側の下部で、カップ軸方向に沿う前記カップ本体の開口側から底部側に向かうに従い漸次狭くなっていることが好ましい。
【００１０】
この場合には、ストローを対向壁部に沿って案内させることで、弱化ラインの前記挿通部分に確実に到達させることができる。
【００１１】
また、本発明に係るカップ容器では、前記収容板部材を覆うとともに、ストローが挿通される挿通部が形成された蓋体が設けられ、前記弱化ラインの一部が前記挿通部と対向していることが好ましい。
【００１２】
この場合には、蓋体の挿通部からストローが挿し込まれると、弱化ラインのうち、挿通部と対向している部分（以下、対向部分という）がストローにより押し込まれて破断され、これに伴い、シール材のうち、弱化ラインの前記対向部分に位置している部分も破断され、かつこの収容板部材の全体が弱化ラインに沿って折曲変形される。
以上により、収容板部材を覆う蓋体が設けられている場合であっても、前述と同様に、ストローを挿し込む操作と、添加剤をカップ本体内に添加する操作とを同時に行うことができ、操作性の向上を図ることができる。
【発明の効果】
【００１３】
本発明に係るカップ容器によれば、添加剤をカップ本体内に添加する操作と、ストローを挿し込む操作と、を同時に行えるようにすることで、操作性を向上させることができる。
【図面の簡単な説明】
【００１４】
【図１】本発明の実施形態によるカップ容器の縦断面図である。
【図２】蓋体の構成を示す斜視図である。
【図３】カップ容器において開封した状態を示す縦断面図である。
【図４】図３に示す収容板部材の要部の拡大図である。
【発明を実施するための形態】
【００１５】
以下、本発明に係るカップ容器の実施形態について図面を参照して説明する。
【００１６】
図１に示すように、本実施形態のカップ容器１は、内容物が収容されるカップ本体２と、カップ本体２の開口を閉塞するとともに、ストローが挿通される挿通部３１が形成された蓋体３と、当該カップ容器１の内部に、表裏面がカップ本体２の底面及び蓋体３の頂面に対向して配設された収容板部材４と、を備えている。
【００１７】
カップ本体２は、横断面視で円形状の有底筒状に形成されている。以下、横断面がなす円形状の中心を通る直線をカップ軸Ｏという。このカップ軸Ｏ方向に沿った開口端２ａ側を上側といい、底部２ｂ側を下側という。また、カップ軸Ｏに直交する方向を径方向といい、カップ軸Ｏ回りに周回する方向を周方向という。
【００１８】
カップ本体２の胴部２１は、上側から下側に向かうに従い漸次縮径している。また、カップ本体２の開口端２ａには、全周にわたって径方向の外側に向けて突出する大径部２２を有し、胴部２１と大径部２２との間に段部２３が形成されている。そして、大径部２２の上端には、径方向の外側に向けて突出するフランジ部２４が全周にわたって設けられている。このフランジ部２４の上面には第１シール材２５が貼着されて、前記開口端２ａが封止されている。そして、胴部２１の下部の内面には、周方向に沿って延びる環状突部２６が形成されている。
【００１９】
蓋体３は、周壁部３２と天壁部３３とから有頂筒状に形成され、カップ軸Ｏと同軸に配置されている。周壁部３２は、下方から上端に向かうに従い漸次縮径するように形成されている。周壁部３２の下方には、該周壁部３２より大径をなし、内側にカップ本体２のフランジ部２４が嵌合される装着筒３４が連結壁３５を介して設けられている。装着筒３４の内周面には、全周にわたって径方向内側に向けて突出した係合凸部３４ａが形成されている。これにより、蓋体３をカップ本体２に装着することで、連結壁３５の下面がフランジ部２４に上側から当接するとともに係合凸部３４ａがフランジ部２４の下面側に係合し、蓋体３がカップ本体２に固定される。
【００２０】
天壁部３３には、上面視でカップ軸Ｏを通る位置に配置されるとともに、ストロー６（図２参照）が挿通される薄肉の前記挿通部３１が形成されている。
【００２１】
収容板部材４は、例えばシート成形等により形成され、カップ本体２の底部２ｂ側に向けて開口し、かつ添加剤が収容される収容凹部４１（４１Ａ、４１Ｂ）が複数（ここでは２つ）並べられて形成されている。収容板部材４には、２つの収容凹部４１Ａ、４１Ｂを一体に閉塞する第２シール材４２が貼着されている。
【００２２】
図１及び図２に示すように、互いに隣り合う収容凹部４１Ａ、４１Ｂを各別に画成する画成壁部のうち、互いに対向し、かつ挿通部３１から挿し込まれるストロー６に対向する一対の対向壁部４４同士の間の距離は、上側から下側に向かうに従い漸次狭くなっている。
【００２３】
収容凹部４１は、その開口周縁部から上方に向けて延在し、かつ周方向に延びる上面視円弧上の周壁部４３と、該収容凹部４１の開口周縁部から上方に向けて延在し、かつ周壁部４３の両周端部４３ａ同士を連結する前記対向壁部４４と、周壁部４３及び対向壁部４４それぞれの上端を一体に連結する頂壁部４５と、を備えている。この収容凹部４１（頂壁部４５）の上面視形状は半円弧形状にとなっている。
【００２４】
収容板部材４には、２つの収容凹部４１Ａ、４１Ｂを画成する各周壁部４３を径方向の外側から一体に囲繞する囲繞周壁部４６と、囲繞周壁部４６の上端に径方向外側に向けて突設されたフランジ部４７と、を備えている。囲繞周壁部４６は、図２に示すように、周方向の一部分（後述する弱化ライン５の延長線上の部分）に、上方に向けて開口するＶ字状をなす一対の切欠部４６ａが形成されている。そして、収容板部材４は、フランジ部４７の下面がカップ本体２の段部２３に上側から当接した状態で、カップ本体２に装着されている。
【００２５】
図２に示すように、収容板部材４において、互いに隣り合う前記収容凹部４１Ａ、４１Ｂ同士の間に位置する部分には、カップ軸Ｏを挟んだ両側に配置されるとともに、下方に向けて開口し、かつこれらの収容凹部４１Ａ、４１Ｂ同士を互いに連通させる連通凹部４８が形成されている。
【００２６】
連通凹部４８は、収容凹部４１の開口周縁部から上方に向けて延在し、かつ周方向で隣り合う周壁部４３同士を連結する外壁４８１と、外壁４８１に径方向の内側から対向し、かつ収容凹部４１の開口周縁部から上方に向けて延びる内壁４８２と、これらの外壁４８１及び内壁４８２の各上端、並びに互いに対向する対向壁部４４同士を一体に連結する天壁４８３と、により画成されている。
【００２７】
また、収容板部材４には、互いに隣り合う収容凹部４１Ａ、４１Ｂ同士の間に位置する部分に、上面視で対向壁部４４が延在する方向に沿って延在するとともに、他より薄肉に形成されて破断可能な弱化ライン５が形成されている。弱化ライン５のうち、内壁４８２同士の間に位置する部分（以下、対向部分５ａ）は、前記挿通部３１と対向する位置に配置されている。
【００２８】
ここで、内壁４８２同士の間に位置する凹部４９は、弱化ライン５に沿う方向に対向する壁面（内壁４８２同士）が上側から下側に向かうに従い漸次縮径し、かつ弱化ライン５に直交する方向に対向する壁面（対向壁面４４同士）が上側から下側に向かうに従い漸次縮径している。なお、凹部４９の対向する前記壁面のうち、少なくとも一方が縮径されていれば、ストロー６を凹部４９内における弱化ライン５（前記対向部分５ａ）へ案内することが容易となる。
【００２９】
以上説明した本実施形態によるカップ容器によれば、以下の作用効果を奏する。
図３に示すような前記カップ容器１内の内容物を飲む際には、挿通部３１からストローが挿し込まれると、第１シール材２５のうち、挿通部３１と対向している部分がストロー６により押し込まれて破断される。
【００３０】
次に、弱化ライン５のうち前記対向部分５ａがストロー６により押し込まれて破断され、これに伴い、図４に示すように、第２シール材４２のうち、前記対向部分５ａに位置している部分も破断され、かつこの収容板部材４の全体が弱化ライン５に沿って対向する対向壁部４４同士が近接する方向（図３に示す矢印Ｅ方向）に向けて折曲変形される。この場合、囲繞周壁部４６における弱化ライン５の延長線上に一対の切欠部４６ａ（図２参照）が形成されているので、一対の収容凹部４１Ａ、４１Ｂの変形が可能となる。
【００３１】
これにより、図４に示すように、第２シール材４２のうち、ストロー６で破断された部分（以下、起点破断部Ｐという）がストロー６により下側に引き摺られることと相俟って、第２シール材４２において収容凹部４１Ａ、４１Ｂを覆っている部分のうち、起点破断部Ｐに連なる部分が収容板部材４から剥がされることで収容凹部４１Ａ、４１Ｂが開放される。
【００３２】
以上により、ストロー６を挿し込む操作をするのと同時に、収容凹部４１Ａ、４１Ｂ内の添加剤をカップ本体２内に添加する操作も行うことができ、操作性を向上させることができるという効果を奏する。
【００３３】
また、本実施形態のカップ容器１では、一対の対向壁部４４同士の間の距離が上側から下側に向かうに従い漸次狭くなっているので、挿通部３１から挿し込んだストロー６を弱化ライン５の前記対向部分５ａに確実に到達させることができる。
【００３４】
なお、本発明の技術範囲は、上記実施形態に限定されるものではなく、本発明の趣旨を逸脱しない範囲において、種々の変更を加えることが可能である。
【００３５】
例えば、上述の実施形態では、収容凹部４１の対向壁部４４同士の間の距離が上側から下側に向かうに従い漸次狭くなる傾斜面を形成させているが、このような構成に限定されることはない。例えば、前記対向壁部４４同士の間の距離を、少なくともカップ本体２の底部２ｂ側の下部において、上側から下側に向かうに従い漸次狭くすることで、挿通部３１から挿し込んだストロー６を弱化ライン５の前記対向部分５ａに確実に到達させることができる効果を奏する。なお、このような傾斜部分は省略することも可能である。
【００３６】
また、収容板部材４の収容凹部４１の形状は、適宜変更することも可能である。例えば、上述の実施形態では、収容凹部４１同士が連通凹部４８によって連通された構成としているが、連通凹部４８を省略し、収容凹部４１それぞれが分離されていても良い。
【００３７】
さらに、上述の実施形態では、カップ本体２の開口を閉塞する第１シール材２５を設けているが、前記第１シール材２５を省略しても良い。
【００３８】
さらに、カップ本体２や、蓋体３の周壁部３２、天壁部３３などの形状も適宜変更することが可能である。例えば、上述の実施形態では、蓋体３を設けているが、この蓋体３を省略したカップ容器とすることも可能である。
【００３９】
また、弱化ラインとして薄肉に形成された構成に限定されることはなく、例えば断続的に貫通孔を形成したミシン目状の弱化ラインであっても良い。
【００４０】
その他、本発明の趣旨を逸脱しない範囲で、上記した実施形態における構成要素を周知の構成要素に置き換えることは適宜可能である。
【符号の説明】
【００４１】
１  カップ容器
２  カップ本体
２ａ  開口端
２ｂ  底部
３  蓋体
４  収容板部材
５  弱化ライン
５ａ  対向部分
６  ストロー
２５  第１シール材
３１  挿通部
４１、４１Ａ、４１Ｂ  収容凹部
４２  第２シール材（本発明のシール材）
４４  対向壁部
４８  連通凹部
Ｏ  カップ軸
Ｐ  起点破断部
【図１】
2014125277.tif 000003
【図２】
2014125277.tif 000004
【図３】
2014125277.tif 000005
【図４】
2014125277.tif 000006